(57)【要約】【課題】筐体の回動可能な方向の認識を確実に行うことができると共に、筐体の回動が許容されない方向への回動を確実に阻止し得、且つ閉状態及び開状態で筐体同士を位置決め保持し得る携帯端末装置を提供する。【解決手段】筐体１の連結部３側端部における該連結部３を挟んだ両側部に切欠部６，７を形成すると共に、筐体２の連結部３側端部における該連結部３を挟んだ両側部のうちいずれか一方の側部に、前記切欠部６，７と係合するように突出して筐体１の回動方向を規制する突出部８を設ける。【選択図】図１
2005294935.tif 000002
【特許請求の範囲】
【請求項１】
互いに重ね合わされる二つの筐体と、該二つの筐体の端部同士を互いの重ね合わせ方向に沿う軸線を中心として相対的に回動可能となるよう連結する連結部とを備えた携帯端末装置において、
一方の筐体の連結部側端部における該連結部を挟んだ両側部に切欠部を形成すると共に、他方の筐体の連結部側端部における該連結部を挟んだ両側部のうちいずれか一方の側部に、前記切欠部と係合するように突出して一方の筐体の回動方向を規制する突出部を設けたことを特徴とする携帯端末装置。
【請求項２】
突出部内に撮像部を備えると共に、突出部の外表面に前記撮像部の撮像窓を有することを特徴とする請求項１記載の携帯端末装置。
【請求項３】
突出部内に、撮像部の光軸と一致する光軸を有し且つ該光軸が突出部の突出方向ヘ延びる光学ズーム機構を設けたことを特徴とする請求項２記載の携帯端末装置。
【請求項４】
他方の筐体に対し突出部を、撮像部による撮影方向が少なくとも筐体の回動軸線方向における一方の筐体に対面する側と他方の筐体に対面する側との間で切り換えられるよう、回動可能に配設したことを特徴とする請求項２又は３記載の携帯端末装置。
【発明の詳細な説明】
【技術分野】
【０００１】
本発明は、携帯電話機やＰＨＳ等の移動通信機、或いはＰＤＡ（Personal Digital Assistant）といった携帯端末装置に関するものである。
【背景技術】
【０００２】
近年、様々なデザインをした携帯電話機やＰＨＳ等の移動通信機、或いはＰＤＡといった携帯端末装置が提供されているが、その中で、図７に示される如く、互いに重ね合わされる二つの筐体１，２と、該二つの筐体１，２の端部同士を互いの重ね合わせ方向に沿う軸線を中心として相対的に回動可能となるよう連結する連結部３とを備え、閉状態では二つの筐体１，２を重ね合わせて配置することができ（図７（ａ）参照）、且つ開動作において一方の筐体１と他方の筐体２とを互いの対向面に沿って略平行に連結部３を中心として回動させることにより、二つの筐体１，２が閉状態から相対的に１８０度回動した開状態となる（図７（ｂ）参照）ように構成された水平回転式の携帯端末装置が提案されている。（例えば、特許文献１参照。）
【０００３】
斯かる携帯端末装置によれば、回動する一方の筐体１外面に液晶画面等の表示部４を設けることで、閉状態及び開状態のいずれの状態でも表示部４に表示された情報をユーザーが閲覧できると共に、折畳式の携帯端末装置のように、高価な表示部を複数設ける必要がないといった利点がある。
【０００４】
尚、図７中、５はアンテナである。
【特許文献１】特開平７−２８８８６０号公報
【発明の開示】
【発明が解決しようとする課題】
【０００５】
ところで、前述の如き水平回転式の携帯端末装置においては、閉状態及び開状態で筐体１，２同士を位置決め保持する必要があるが、こうした位置決め保持の手段については充分に考慮されていないのが現状であった。
【０００６】
又、各筐体１，２内に配置される回路基板同士は、リード線等を介して電気的に接続されるが、この種のリード線は二つの筐体１，２を連結する連結部３の連結軸内に挿通されており、一方の筐体１を他方の筐体２に対して複数回回転させると、リード線に捩れが生じて断線等を発生させる虞があった。特に、特許文献１に開示された構造では、ユーザーが一方の筐体１をどちらに回動させれば良いのかがわかりにくいため、該一方の筐体１をその回動方向を知らずに回動させた場合、リード線を断線させてしまう可能性が高かった。
【０００７】
本発明は、斯かる実情に鑑み、筐体の回動可能な方向の認識を確実に行うことができると共に、筐体の回動が許容されない方向への回動を確実に阻止し得、且つ閉状態及び開状態で筐体同士を位置決め保持し得る携帯端末装置を提供しようとするものである。
【課題を解決するための手段】
【０００８】
本発明は、互いに重ね合わされる二つの筐体と、該二つの筐体の端部同士を互いの重ね合わせ方向に沿う軸線を中心として相対的に回動可能となるよう連結する連結部とを備えた携帯端末装置において、
一方の筐体の連結部側端部における該連結部を挟んだ両側部に切欠部を形成すると共に、他方の筐体の連結部側端部における該連結部を挟んだ両側部のうちいずれか一方の側部に、前記切欠部と係合するように突出して一方の筐体の回動方向を規制する突出部を設けたことを特徴とする携帯端末装置にかかるものである。
【０００９】
前記携帯端末装置においては、突出部内に撮像部を備えると共に、突出部の外表面に前記撮像部の撮像窓を有することが好ましく、このようにすると、スペースを有効に活用することが可能となる。
【００１０】
又、前記突出部内には、撮像部の光軸と一致する光軸を有し且つ該光軸が突出部の突出方向ヘ延びる光学ズーム機構を設けることもでき、このようにすると、筐体の厚みを増やすことなく光学ズーム機構を内蔵することが可能となり、携帯端末装置の携行性を阻害せずに被写体を画質の劣化を抑えつつアップで撮影可能となる。
【００１１】
更に又、前記他方の筐体に対し突出部を、撮像部による撮影方向が少なくとも筐体の回動軸線方向における一方の筐体に対面する側と他方の筐体に対面する側との間で切り換えられるよう、回動可能に配設すると、通常のカメラと同じように撮影を行えるだけでなく、ユーザー自身が自分の画像を確認しながら撮影を行うことが可能となる。
【発明の効果】
【００１２】
本発明によれば、筐体の回動可能な方向の認識を確実に行うことができると共に、筐体の回動が許容されない方向への回動を確実に阻止し得、且つ閉状態及び開状態で筐体同士を位置決め保持し得るという優れた効果を奏し得る。
【発明を実施するための最良の形態】
【００１３】
以下、本発明の実施の形態を添付図面を参照して説明する。
【００１４】
図１〜図４は本発明を実施する形態の一例であって、図中、図７と同一の符号を付した部分は同一物を表わしており、互いに重ね合わされる二つの筐体１，２と、該二つの筐体１，２の端部同士を互いの重ね合わせ方向に沿う軸線を中心として相対的に回動可能となるよう連結する連結部３とを備えた携帯端末装置において、液晶画面等の表示部４を有する筐体１の連結部３側端部における該連結部３を挟んだ両側部に切欠部６，７を形成すると共に、複数のキー９を有する筐体２の連結部３側端部における該連結部３を挟んだ両側部のうちいずれか一方の側部に、前記切欠部６，７と係合するように突出して筐体１の回動方向を規制する突出部８を設けたものである。
【００１５】
即ち、一方の筐体１と他方の筐体２とは、図１（ａ）に示すように、互いに重ね合わせて配置することができ、このとき、表示部４を有する面とキー９を有する面とは同一方向を向いた状態で且つキー９を有する面が一方の筐体１により覆い隠されるようになっている。そして、二つの筐体１，２を互いに重ね合わせた閉状態から一方の筐体１を他方の筐体２に対してて１８０°回動させることにより、図１（ｂ）に示すように、キー９を有する面が外部に露出した開状態とすることができるようになっている。
【００１６】
又、一方の筐体１の連結部３側端部の両側部に形成される切欠部６，７とその中央部に形成される凸部とは滑らかな曲面状に形成されると共に、他方の筐体２の連結部３側端部の一方の側部より突出する突出部８は、前記切欠部６，７の外形と合致する外形を有しており、図１（ａ）に示す状態では、突出部８が切欠部６と係合することで一方の筐体１が他方の筐体２と重ね合わせた位置で位置決めされ、又、図１（ｂ）に示す状態では、突出部８が切欠部７と係合することにより一方の筐体１が他方の筐体２に対して１８０°回動した位置で位置決めすることができる。
【００１７】
その為、この携帯端末装置によれば、ユーザーは、閉状態から開状態への筐体１，２の回動可能な方向と、開状態から閉状態への筐体１，２の回動可能な方向とを確実に認識でき、筐体１，２をその回動が許容されない方向へ回動させてしまうことがなくなり、各筐体１，２内に配置される不図示の回路基板同士をつなぐリード線等に捩れが生じることが避けられ、又、筐体１，２同士は閉状態及び開状態で確実に位置決め保持される形となる。
【００１８】
尚、図１において突出部８とは、キー９を有する面より突出している領域を含め、筐体２の連結部３側端部における左側部全体のことをいう。
【００１９】
本図示例の場合、前記突出部８内には、図３に示す如く、撮像素子１０並びに撮影レンズ１１が配設された撮像部１２を備えると共に、突出部８の外表面には、前記撮像部１２の撮像窓１３を有する。
【００２０】
又、前記突出部８内には、撮像部１２の光軸と一致する光軸を有し且つ該光軸が突出部８の突出方向ヘ延びる光学ズーム機構１４を設けてある。該光学ズーム機構１４は、図３及び図４に示す如く、撮影レンズ１１と撮像素子１０との間の支持筒１５内に回動自在に配設され且つ周面にカム溝１６ａ，１６ｂが形成された円筒状のカム１７と、前記カム溝１６ａ，１６ｂに対して摺動自在に係合し且つ前記支持筒１５の内周面に刻設された案内溝１８に沿って撮像部１２の光軸方向へスライド自在となるよう配設された摺動片１９ａ，１９ｂと、該摺動片１９ａ，１９ｂに支持されるよう前記カム１７内に配設された二枚のズームレンズ２０ａ，２０ｂと、駆動ピニオン２１を回転駆動するズームモータ２２と、前記カム１７の一端側外周部に一体に設けられ且つ前記ズームモータ２２の駆動ピニオン２１と噛合して回転駆動される従動ギア２３とを備え、前記ズームモータ２２を所望の方向へ回転駆動し、駆動ピニオン２１と従動ギア２３とを介してカム１７を回動させ、それぞれのカム溝１６ａ，１６ｂに係合する摺動片１９ａ，１９ｂを押し動かしてズームレンズ２０ａ，２０ｂを互いに近接或いは離反させることにより、ズーム倍率を調整し得るようになっている。
【００２１】
尚、前記筐体２の側面には、図２に示す如く、シャッターボタン２４を設けてある。
【００２２】
次に、上記図示例の作用を説明する。
【００２３】
前述の如く、筐体２から突出させた突出部８を筐体１の切欠部６，７と係合させることにより、ユーザーは、閉状態（図１（ａ）参照）から開状態（図１（ｂ）参照）への筐体１，２の回動可能な方向と、開状態から閉状態への筐体１，２の回動可能な方向とを確実に認識でき、筐体１，２をその回動が許容されない方向へ回動させてしまうことがなくなり、各筐体１，２内に配置される回路基板同士をつなぐリード線等に捩れが生じることが避けられ、又、筐体１，２同士は閉状態及び開状態で確実に位置決め保持される形となる。
【００２４】
しかも、前記突出部８内には撮像部１２を備えると共に、突出部８の外表面には前記撮像部１２の撮像窓１３を有しているため、スペースを有効に活用することが可能となる。
【００２５】
又、前記突出部８内には、撮像部１２の光軸と一致する光軸を有し且つ該光軸が突出部８の突出方向ヘ延びる光学ズーム機構１４を設けてあるため、筐体１，２の厚みを増やすことなく光学ズーム機構１４を内蔵することが可能となり、携帯端末装置の携行性を阻害せずに被写体を画質の劣化を抑えつつアップで撮影可能となる。
【００２６】
こうして、筐体１，２の回動可能な方向の認識を確実に行うことができると共に、筐体１，２の回動が許容されない方向への回動を確実に阻止し得、且つ閉状態及び開状態で筐体１，２同士を位置決め保持し得る。
【００２７】
図５及び図６は本発明を実施する形態の他の例であって、図中、図１〜図４と同一の符号を付した部分は同一物を表わしており、基本的な構成は図１〜図４に示すものと同様であるが、本図示例の特徴とするところは、図５及び図６に示す如く、筐体２に対し突出部８を、撮像部１２による撮影方向が少なくとも筐体１，２の回動軸線方向における筐体１に対面する側と筐体２に対面する側との間で切り換えられるよう、回動軸２５を中心として回動可能に配設した点にある。
【００２８】
前述の如く構成すると、図５（ａ）及び図６（ａ）に示す如く、突出部８における撮像部１２の撮像窓１３を表示部４と同じ面側に向けておけば、ユーザー自身が自分の画像を確認しながら撮影を行う、いわゆる自分撮りを行うことが可能となる一方、図５（ｂ）及び図６（ｂ）に示す如く、突出部８における撮像部１２の撮像窓１３を表示部４と反対面側に向けておけば、通常のカメラと同じように撮影を行う、いわゆる対面撮りを行うことが可能となる。
【００２９】
尚、本発明の携帯端末装置は、上述の図示例にのみ限定されるものではなく、キー９を有する筐体２の側に切欠部６，７を形成すると共に、表示部４を有する筐体１の側に突出部８を設けても良いこと、又、撮像部１２の撮像窓１３は突出部８の端面に限らず外周面等の任意の位置に設けても良いこと等、その他、本発明の要旨を逸脱しない範囲内において種々変更を加え得ることは勿論である。
【図面の簡単な説明】
【００３０】
【図１】本発明を実施する形態の一例の斜視図であって、（ａ）は閉状態を示す図、（ｂ）は開状態を示す図である。
【図２】本発明を実施する形態の一例の側面図である。
【図３】本発明を実施する形態の一例における光学ズーム機構を示す側断面図であって、図２のＩＩＩ部相当図である。
【図４】本発明を実施する形態の一例における光学ズーム機構を示す斜視図である。
【図５】本発明を実施する形態の他の例の斜視図であって、（ａ）は突出部における撮像部の撮像窓を表示部と同じ面側に向けて自分撮りを行う場合を示す図、（ｂ）は突出部における撮像部の撮像窓を表示部と反対面側に向けて対面撮りを行う場合を示す図である。
【図６】本発明を実施する形態の他の例の側面図であって、（ａ）は突出部における撮像部の撮像窓を表示部と同じ面側に向けて自分撮りを行う場合を示す図、（ｂ）は突出部における撮像部の撮像窓を表示部と反対面側に向けて対面撮りを行う場合を示す図である。
【図７】従来例の斜視図であって、（ａ）は閉状態を示す図、（ｂ）は開状態を示す図である。
【符号の説明】
【００３１】
１    筐体
２    筐体
３    連結部
４    表示部
６    切欠部
７    切欠部
８    突出部
９    キー
１０    撮像素子
１１    撮影レンズ
１２    撮像部
１３    撮像窓
１４    光学ズーム機構
【図１】
2005294935.tif 000003
【図２】
2005294935.tif 000004
【図３】
2005294935.tif 000005
【図４】
2005294935.tif 000006
【図５】
2005294935.tif 000007
【図６】
2005294935.tif 000008
【図７】
2005294935.tif 000009